(57)【要約】  【課題】使用者の首に掛けたままＩＤカード等を読取器にかざすなどの使用方法を好適に行うことができ、しかも使用者の首への装着感を損なうことのない軽量なストラップを提供する。  【解決手段】ストラップ１を、柔軟な中空の紐状をなす外チューブ２と、この外チューブ２内に挿入されて両端部３１ｂ、３２ｂを外チューブから突出させた柔軟且つ伸縮可能な内紐３とを具備するものとして、これら外チューブ２及び内紐３をそれらの端部又はその近傍で概略輪状にすることにより使用者の首に掛けた状態で物品６ｃを吊り下げ得るように構成し、内紐３の端部３１ｂに当該物品６ｃを取り付けるようにした。【選択図】図１
2005073807.tif 000002
【特許請求の範囲】
【請求項１】
柔軟な中空の紐状をなす外チューブと、この外チューブ内に挿入されて両端部を外チューブから突出させた柔軟且つ伸縮可能な内紐とを具備してなり、これら外チューブ及び内紐をそれらの端部又はその近傍で概略輪状にすることにより使用者の首に掛けた状態で物品を吊り下げ得るように構成し、前記内紐の端部に前記物品を取り付けるように構成していることを特徴とするストラップ。
【請求項２】
前記内紐が、中空のチューブ状をなすものである請求項１記載のストラップ。
【請求項３】
前記内紐を、シリコンゴム素材により形成している請求項１又は２記載のストラップ。
【請求項４】
前記外チューブを、シリコンゴム素材により形成している請求項１、２又は３記載のストラップ。
【請求項５】
前記内紐の両端部又はその近傍を束ねて該内紐を所定の大きさのループ状とするループ形成手段を具備している請求項１、２、３又は４記載のストラップ。
【請求項６】
前記外チューブが、２本の外チューブ第１要素及び外チューブ第２要素からなるものであり、前記内紐が、前記外チューブ第１要素に挿入される内紐第１要素及び外チューブ第２要素に挿入される内紐第２要素からなるものであって、これら外チューブ第１要素及び内紐第１要素と外チューブ第２要素及び内紐第２要素とが、外チューブ第１要素及び内紐第１要素に取り付けた第１係合要素と、外チューブ第２要素及び内紐第２要素に取り付けた第２係合要素と係脱可能に係合させた係合体の係合状態によってループ状をなすように構成し、前記係合体を、内紐に所定以上の張力が作用した場合に第１係合要素と第２係合要素との係合状態が解除されるように構成している請求項１又は２記載のストラップ。
【請求項７】
前記係合体を、使用者の首から離間する位置に設けている請求項６記載のストラップ。
【発明の詳細な説明】
【技術分野】
【０００１】
本発明は、例えばＩＤカード、名札、携帯電話等ないしはそれらを収容するケースやホルダ等種々の物品を使用者が首から吊り下げる際に用いられるストラップに関するものである。
【背景技術】
【０００２】
近年、ＩＣチップ等を内蔵した社員証等のＩＤカードや定期券等のカード類、或いは携帯電話等の各種物品をストラップ（紐）に取り付けて、ループ状にしたそのストラップを使用者が首に引っ掛けることにより当該物品を吊り下げて使用することがなされている。特にＩＣチップ等の非接触型記憶媒体を内蔵したカードを使用する際には、首からストラップを外すことなくそのカードを所定の読取装置に近づけるために、ストラップ等のカードを保持する部材の一部を伸び縮みさせる構成としている場合がある（例えば、特許文献１参照）。同文献では、ループ状にしたストラップの下端にカードを保持する紐の巻き取り器を取り付けておき、必要時にカードを引っ張ると所要量の紐が巻き取り器から延び出すようにしたものが示されている。この他、ストラップ自体をコイル状のカールコードとして、ストラップの形状に基づくバネ弾性により必要量だけストラップを引き延ばすようにしたものも考えられている。
【特許文献１】特開平９−１１７３１６号公報（図１等）
【発明の開示】
【発明が解決しようとする課題】
【０００３】
ところが、ストラップの下端に紐の巻き取り器を取り付けるような構成では、巻き取り器自体の重さのために使用者の首に余計な負荷が掛かってしまい、また巻き取り器が嵩張って見え掛かりが良好でなくなってしまう。一方、カールコードを用いたストラップであっても、ストラップ自体が絡まってしまう等の不具合が生じやすく、ストラップ全体をカールコードとした場合には使用者の首に対する装着感が悪化することも考えられる。
【０００４】
そこで本発明は、以上のような問題に鑑みて、使用者の首に掛けたままＩＤカード等を読取器にかざすなどの使用方法を好適に行うことができ、しかも使用者の首への装着感を損なうことのない軽量なストラップを提供しようとするものである。
【課題を解決するための手段】
【０００５】
すなわち、本発明のストラップは、柔軟な中空の紐状をなす外チューブと、この外チューブ内に挿入されて両端部を外チューブから突出させた柔軟且つ伸縮可能な内紐とを具備してなり、これら外チューブ及び内紐をそれらの端部又はその近傍で概略輪状にすることにより使用者の首に掛けた状態で物品を吊り下げ得るように構成し、内紐の端部に前記物品を取り付けるように構成していることを特徴としている。
【０００６】
このような構成のストラップであれば、外チューブに収容された内紐がその伸縮性に基づいて伸長することにより、ストラップを首に掛けたまま内紐に取り付けられた物品を使用することができる。特にその物品がＩＣチップ内蔵の社員証等のＩＤカードや乗車券若しくはそれらを収容したケース等であれば、ＩＤカードを所定の読取器にかざしてＩＣチップに記憶されている情報を読み取らせるというような使用方法を好適に行うことができる。また、使用者の首に接触するのは外チューブであり、基本的には内紐の伸縮には外チューブは影響を受けないため、使用者にストラップ装着時における違和感を与えることもない。さらに、本発明のストラップは、外チューブとその内部に挿通した内紐というシンプルな基本構造を有しているので、特に嵩張ったり絡まるというような不具合や見栄えが悪くなるというような問題も生じにくい。
【０００７】
特に内紐の伸縮性能を向上するには、内紐も中空のチューブ状をなすものとすることが好ましい。
【０００８】
伸縮性、柔軟性、品質安定性、耐荷重性、耐久性、電気絶縁性等の観点からは、内紐をシリコンゴム素材により形成することが望ましい。また、外チューブもシリコンゴム素材により形成していると、内紐と外チューブとの摩擦抵抗を低減して、内紐を伸縮させやすくなる。
【０００９】
ストラップの絡まりを防止するとともに、絡まりによって使用者の首が絞まるのを防止するには、ストラップに、内紐の両端部又はその近傍を束ね内紐を所定の大きさのループ状とするループ形成手段をもうけるとよい。ここで、ループ形成手段としては、内紐の端部を束ねる機能を有しつつ使用者の首に大きな負荷を掛けることのない軽量の部材や、内紐の端部乃至その近傍同士を直接的に接着などする構成又は外チューブの端部同士を接着などすることで内紐の端部乃至その近傍同士を間接的に接着する構成を例示することができる。
【００１０】
また、内紐を強く引っ張った際に使用者の首に過大な負荷を掛けたり首が絞まるのを防止して、安全対策を簡易且つ有効に図るためには、外チューブを、２本の外チューブ第１要素及び外チューブ第２要素からなるものとするとともに、内紐も、外チューブ第１要素に挿入される内紐第１要素及び外チューブ第２要素に挿入される内紐第２要素からなるものとして、これら外チューブ第１要素及び内紐第１要素と外チューブ第２要素及び内紐第２要素とが、外チューブ第１要素及び内紐第１要素に取り付けた第１係合要素と、外チューブ第２要素及び内紐第２要素に取り付けた第２係合要素と係脱可能に係合させた係合体の係合状態によってループ状をなすように構成し、この係合体を、内紐に所定以上の張力が作用した場合に第１係合要素と第２係合要素との係合状態が解除されるように構成することが望ましい。このような係合体を設ける場合であっても、使用者に対するストラップの装着感を損なわないようにするには、係合体を、使用者の首から離間する位置に設けるとよい。
【発明の効果】
【００１１】
本発明によれば、使用者が首から吊り下げることになる物品を取り付けた内紐を外チューブ内に挿通させるという極めて簡易な構成でありながら、内紐に伸縮性を持たせることによって、主としてその内紐のみを引き延ばすことでストラップを首に掛けたままの状態で物品を使用することが可能である。したがって、ストラップ自体の見え掛かりが悪化することも嵩張ることもなく、また内紐を伸長させた使用時における使用者の首への装着感が損なわれることもない。
【発明を実施するための最良の形態】
【００１２】
以下、本発明の一実施形態を、図面を参照して説明する。
【００１３】
図１に示す本実施形態は、ＩＣチップを装備した社員証等のＩＤカード６を入れたケース６ｃを使用者Ｐの首Ｐｎから吊り下げるためのストラップ１である。このストラップ１は、主として外チューブ２と、この外チューブ２内に挿入された内紐３とからなり、図３に拡大して長手方向適宜箇所で切断した端面を示すようにこれら外チューブ２及び内紐３による二重構造をなしている。
【００１４】
外チューブ２は、シリコンゴム製の柔軟な管部材であり、外径は約３ｍｍ、内径は約２．５ｍｍ、全長約１ｍである。具体的にこの外チューブ２は、長短２本の管部材からなり、長い方（長さ約７０ｃｍ）を外チューブ第１要素２１、短い方（長さ約３０ｃｍ）を外チューブ第２要素２２としている。他方、内紐３もシリコンゴム製の柔軟な管部材であるが、長手方向に大きな伸縮性を有しており、その外径は約２ｍｍ、内径は約１ｍｍであり、全長は外チューブ２よりも数ｃｍ〜１０ｃｍ程度長く設定してある。具体的にはこの内紐３も長短２本の管部材から構成されており、外チューブ第１要素２１に挿入された長い方を内紐第１要素３１、外チューブ第２要素２２に挿入された短い方を内紐第２要素３２としている。
【００１５】
外チューブ第１要素２１及び内紐第１要素３１の一方の端部２１ａ、３１ａと、外チューブ第２要素２２及び内紐第２要素３２の一方の端部２２ａ、３２ａとの間は、第１係合要素４１及び第２係合要素４２を係脱可能に係合させた係合体４によって連結してある。図４に拡大して示すように、第１係合要素４１と第２係合要素４２は、略対称形状の中空釣鐘型をなす合成樹脂製の部材であり、第１係合要素４１の内部には外チューブ第１要素２１及び内紐第１要素３１の一方の端部２１ａ、３１ａを揃えた状態で玉結びにして（図示省略）脱落しないように収容してあり、第２係合要素４２の内部には外チューブ第２要素２２及び内紐第２要素３２の一方の端部２２ａ、３２ａを揃えた状態で玉結びにして（図示省略）脱落しないように収容してある。また、通常の使用状態では図４（ａ）に示すように、第１係合要素４１の係合端部に形成した係合爪４１ａと第２係合要素４２の係合端部に形成した係合溝４２ａとを係脱可能に係り合わせた状態にしておき、ストラップ１全体に所定以上の張力が図４（ａ）に矢印で示すように作用すると、係合爪４１ａと係合溝４２ａとの係合状態が自動的に解除されて図４（ｂ）に示すように第１係合要素４１と第２係合要素４２とが分離して、使用者Ｐの首Ｐｎにストラップ１が強く食い込んだり首Ｐｎがストラップ１によって絞まるなどの危険性が防止されるようにしている。
【００１６】
外チューブ第１要素２１及び内紐第１要素３１の他方の端部２１ｂ、３１ｂと、外チューブ第２要素２２及び内紐第２要素３２の他方の端部２２ｂ、３２ｂとの間には、ストラップ１を所定の大きさのループ状にするためのループ形成手段として留め具５を介在させている。この留め具５は、扁平な概略台形状の平面視形状を有する合成樹脂製の軽量部材であって、内紐第１要素３１の端部３１ｂを挿通させ得る程度の１つの貫通孔５１を上下方向に形成し、内紐第２要素３２の端部３２ｂを固定するための係止溝５２を一側面に形成している。なお、係止溝５２の下端部は他の部位よりも開口幅を若干広くしてある。すなわち、内紐第１要素３１の端部３１ｂは、外チューブ第１要素２１の端部２１ｂから数ｃｍ〜１０ｃｍ程度突出させてあり、その先端部３１ｂ１をケース６ｃに形成した吊り下げ穴６ｃ１に挿入して玉結びにすることによりＩＤカード６をケース６ｃごと吊り下げられるようにしているが、その過程で端部３１ｂを留め具５の貫通孔５１に挿入するようにしている。他方、内紐第２要素３２の端部３２ｂも外チューブ第２要素２２の端部２２ｂから数ｃｍ程度突出させてあり、その先端部３２ｂ１を玉結びにして係止溝５２の下端部５２ａに押し込むとともに、先端部３２ｂ１を除く端部３２ｂの略全体を係止溝５２の下端部５２ａ以外の部位に押し込んでいる。このようにすることで、ストラップ１全体がループ状をなすようになるが、留め具５の貫通孔５１及び係止溝５２の開口幅は外チューブ２の外径よりも小さくしてあるので、留め具５内に外チューブ第１要素２１及び外チューブ第２要素２２が食い込むことがなく、ストラップ１のループの大きさが一定に規定される。
【００１７】
以上のような構成のストラップ１は、通常は図１に示したように使用者Ｐの首Ｐｎから吊り下げた状態で使用され、その状態では内紐第１要素３１が殆ど伸長することなく留め具５からケース６ｃまで所定長さ（ｄ１）だけ表出しているが、図２に示したようにＩＤカード６の内蔵ＩＣチップを所定の読取器Ｒにかざして使用する際には、使用者Ｐがケース６ｃを手に持って前方へ引っ張ると、主に内紐第１要素３１が所要長さ（ｄ２）まで伸長するので、楽な使用が可能である。またその際、内紐第１要素３１の伸縮には外チューブ２は影響を受けることがないので、使用者Ｐの首Ｐｎに触れている外チューブ２の接触感は殆ど変化しないため、使用者Ｐがストラップ１の使用態様の変化によって首Ｐｎに違和感を覚えることがない。また、外チューブ２及び内紐３は何れもシリコンゴム製であるため、外チューブ２内での内紐３の伸縮時に生じる摩擦抵抗を低減して、スムーズな内紐３の伸縮を実現することができ、さらに内紐３にチューブを採用していることから、内紐３の伸縮性をさらに向上することが可能である。さらにストラップ１のループの大きさを規定する留め具５をループ形成手段として採用していることにより、ストラップ１のループ形状が小さくなって首Ｐｎが絞まるなどの不都合を有効に回避することができる。
【００１８】
また、外チューブ２を外チューブ第１要素２１及び外チューブ第２要素２２から構成するとともに、内紐３も内紐第１要素３１及び内紐第２要素３２から構成しており、外チューブ第１要素２１及び内紐第１要素３１と、外チューブ第２要素２２及び内紐第２要素３２とを、係合体４によって繋ぐことで、ストラップ１に加わった張力が過大になれば係合体４が第１係合要素４１と第２係合要素４２とに分離するようにしているので、安全性も高いストラップ１とすることができる。さらに、外チューブ第１要素２１及び内紐第１要素３１と外チューブ第２要素２２及び内紐第２要素３２との長さを異ならせて係合体４を使用者Ｐの首Ｐｎから離間する位置に配置していることにより、係合体４の存在による首Ｐｎへの違和感をもなくすことができる。
【００１９】
なお、本発明は上述した実施形態に限られるものではない。例えば内紐は、上記実施形態のようなチューブ状のもの以外に、図６（ａ）に示すような断面三角形状の紐３’、同（ｂ）に示すような断面四角形状の紐３’’、同（ｃ）に示すような断面星形の紐３’’’等の角のある形状の紐を採用することで、外チューブ２の内周との摩擦抵抗をより低減することができる。また、上記実施形態とは異なり、係合体４を使用者Ｐの首Ｐｎに当たる位置に設けたり、係合体４自体を設けないストラップとすることも可能である。さらに、ループ形成手段として上述のような留め具５を用いる代わりに、内紐第１要素３１の端部３１ｂと内紐第２要素３２の端部３２ｂの両方を挿通できる貫通孔を２つ形成した留め具や、留め具を用いずに外チューブ第１要素２１と外チューブ第２要素２２の端部２１ｂ、２２ｂ同士を接着する構成や、内紐第１要素３１と内紐第２要素３２の端部３１ｂ、３２ｂ同士に直接的にケース６等の物品を取り付ける構成などを採用することも可能である。その他、各部の具体的構成についても上記実施形態に限られるものではなく、本発明の趣旨を逸脱しない範囲で種々変形が可能である。
【図面の簡単な説明】
【００２０】
【図１】本発明の一実施形態の通常の使用状態を示す図。
【図２】同内紐を伸ばした使用状態を示す図。
【図３】同実施形態の外チューブ及び内紐の適宜箇所における端面図。
【図４】同実施形態に適用した係合体の作用説明図。
【図５】同実施形態に適用した留め具及びケース等への内紐の取付態様を示す図。
【図６】同ストラップの変形例を示す端面図。
【符号の説明】
【００２１】
１…ストラップ
２…外チューブ
３、３’、３’ ’、３’ ’ ’…内紐
４…係合体
５…ループ形成手段（留め具）
６ｃ…物品（ケース）
２１…外チューブ第１要素
２２…外チューブ第２要素
３１…内紐第１要素
３２…内紐第２要素
４１…第１係合要素
４２…第２係合要素
【図１】
2005073807.tif 000003
【図２】
2005073807.tif 000004
【図３】
2005073807.tif 000005
【図４】
2005073807.tif 000006
【図５】
2005073807.tif 000007
【図６】
2005073807.tif 000008